(57)【要約】【課題】収納容器の開口部を通じて物体を出し入れする時にも装飾部材の装飾効果を維持する。【解決手段】開口部から物体を収納可能な収納容器２と、開口部を覆わない位置で収納容器２の外側に装着可能な装飾部材４とを備える。収納容器２は、第１の制約手段として第１の凹部２０１と第２の凹部２０２と第３の凹部２０３と第４の凹部２０４とを有する。装飾部材４は、第２の制約手段として、右補助部材４２及び左補助部材４３のそれぞれに設けられた上当接部５１８と下当接部５２０とを有する。【選択図】図１
2014009024.tif 000002
【特許請求の範囲】
【請求項１】
開口部から物体を収納可能な収納容器と、
前記開口部を覆わない位置で前記収納容器の外側に装着可能な装飾部材と、を備え、
前記収納容器が、第１の制約手段を有し、
前記装飾部材が、第２の制約手段を有し、
前記第１の制約手段が、前記第２の制約手段と協働して、所定方向と、前記所定方向の逆方向と、前記所定方向を軸とする回転方向とにおいて前記装飾部材の動きを制約するように構成される
装飾部材付き収納容器。
【発明の詳細な説明】
【技術分野】
【０００１】
本発明は、収納容器と収納容器に装着される装飾部材とを備える装飾部材付き収納容器に関する。
【背景技術】
【０００２】
飲料ボトルなどの収納容器には所望の内容物を充填するだけでなく、需用者の興味を引きつけるためにキャラクターなどを模した装飾を施すことが行われる。
【０００３】
特許文献１に示すように、収納容器の蓋に着脱可能に係合して使用される装飾部材が知られている。しかしながら、特許文献１のように蓋に装飾部材を取り付ける方法では、蓋を収納容器から外すときに装飾部材も収納容器から取り外さなければならない。そのため、例えば飲料ボトルの内容物を飲む時に装飾効果が損なわれてしまうという問題がある。さらに、蓋と装飾部材とを一緒に回転させるのはわずらわしく、収納容器の機能を損なうという問題がある。
【先行技術文献】
【特許文献】
【０００４】
【特許文献１】特開２００６−２９０３９１号公報
【発明の概要】
【発明が解決しようとする課題】
【０００５】
収納容器の形状を様々な形状に加工することで、開口部を通じて物体を出し入れする時にも装飾効果を保つことは可能である。しかしながら、収納容器を所望の形状に加工するにはコストがかかるという問題がある。例えばブロア成型で飲料用ペットボトルを動物の顔に加工する場合、耳の先など細かな部分の成型が非常に困難である。
【０００６】
本発明は、開口部を通じて物体を出し入れする時にも装飾効果を維持することができる装飾部材付き収納容器を提供することを目的とする。
【課題を解決するための手段】
【０００７】
本発明の装飾部材付き収納容器は、開口部から物体を収納可能な収納容器と、開口部を覆わない位置で収納容器の外側に装着可能な装飾部材とを備える。収納容器は、第１の制約手段を有し、装飾部材は、第２の制約手段を有する。第１の制約手段は、第２の制約手段と協働して、所定方向と、所定方向の逆方向と、所定方向を軸とする回転方向とにおいて装飾部材の動きを制約するように構成される。
【０００８】
第１の制約手段は、接着剤であってもよいし、凹凸形状であってもよいし、ネジ山であってもよい。第２の制約手段は、接着剤であってもよいし、凹凸形状であってもよいし、ネジ山であってもよい。動きを制約された装飾部材と収納容器との相対的な移動は、完全に阻止されていてもよいし、所定範囲の遊びがあってもよい。
【発明の効果】
【０００９】
本発明の装飾部材付きボトルによれば、開口部を通じて物体を出し入れする時にも装飾効果を維持することができる。
【図面の簡単な説明】
【００１０】
【図１】図１は、本実施形態の装飾部材付き収納容器の正面図である。
【図２】図２は、収納容器２の正面図である。
【図３】図３は、収納容器２の側面図である。
【図４】図４は、装飾部材４の上面図である。
【図５】図５は、装飾部材４の底面図である。
【図６】図６は、本体４１の右側面図である。
【図７】図７は、前部４１０の背面図である。
【図８】図８は、後部４１２の正面図である。
【図９】図９は、右補助部材４２の正面図である。
【図１０】図１０は、右補助部材４２の上面図である。
【図１１】図１１は、右補助部材４２の左側面図である。
【図１２】図１２は、図４のＡ−Ａ線で切断した装飾部材４の断面図である。
【図１３】図１３は、装飾部材４を図４のＡ−Ａ線で切断した装飾部材付き収納容器１の部分断面図である。
【発明を実施するための形態】
【００１１】
（全体構成）
図１は、本実施形態の装飾部材付き収納容器１の正面図である。装飾部材付き収納容器１は、物体を収納可能な収納容器２と、収納容器２の一部を覆う装飾フィルム３と、収納容器２に装飾効果を与える装飾部材４と、を備える。
【００１２】
（収納容器全体）
図２は、収納容器２の正面図であり。図３は、収納容器２の側面図である。図に示すＸ方向、Ｙ方向及びＺ方向は互いに直交しており、あくまで説明の便宜上規定するものである。
【００１３】
図２に示すように、収納容器２は、Ｚ軸を中心とする中空の略円筒形状をなす首部２０と、首部２０の負のＺ方向一端において首部２０と一体形成された胴部２１と、首部２０の正のＺ方向一端において首部２０と一体形成された口部２２と、図１に示す蓋２３とを有する。
【００１４】
首部２０と胴部２１と口部２２とは、内部に一体的な収納空間２４を画定し、収納空間２４は口部２２の正のＺ方向端部において、正のＺ方向に開放された開口においてのみ外部に通じている。なお、収納空間２４は、存在しなくてもよく、複数存在してもよい。収納空間２４は、外部につながっていなくてもよく、複数箇所において外部につながっていてもよい。収納空間２４の大きさは首部２０と胴部２１と口部２２とのすべてにひろがって存在するものであってもよいし、首部２０と胴部２１と口部２２とのいずれかに偏って存在するものであってもよい。
【００１５】
本実施形態の収納容器２は、飲料を収納する飲料ボトルである。ただし、他の実施形態において収納容器２は、食品、おもちゃなどであってもよく、液体、気体、固体などのような物体を収納するものであってもよい。収納容器２は、ブロア成型により一体加工されており、全体的に薄肉状となっている。本実施形態の収納容器２は、合成樹脂製であるが、他の材料で製造されていてもよい。
【００１６】
（首部）
図２に示すように、首部２０の外表面には、Ｚ軸を中心とした円筒状曲面の一部をなす大円筒面２００と、大円筒面２００から収納空間２４内部に向かってくぼんだ第１の凹部２０１と第２の凹部２０２と第３の凹部２０３と第４の凹部２０４と、口部２２に隣接する完全円筒状曲面の小円筒面２０５とが形成されている。
【００１７】
大円筒面２００と小円筒面２０５とは、共に同じＺ軸を中心とした円筒状曲面である。小円筒面２０５の半径は大円筒面２００の半径よりも小さい。Ｚ軸方向における小円筒面２０５の長さは、Ｚ軸方向における大円筒面２００の長さよりも小さく、本実施形態では約５分の１程度であるが、この比率に限るわけではない。Ｚ軸方向において大円筒面２００と小円筒面２０５とは部分的に接触しており、その境界領域は傾斜している。
【００１８】
（第１の凹部と第２の凹部）
図３に示すように、第１の凹部２０１と第２の凹部２０２とはＺ方向にならんで配置され、第１の凹部２０１は第２の凹部２０２よりも口部２２に近い。大円筒面２００には、第１の凹部２０１と第２の凹部２０２との間に第１の梁面２０６が形成されている。第１の梁面２０６は、Ｚ軸周りに延在する細長い形状となっている。第１の梁面２０６のＺ方向の幅は略一定である。
【００１９】
第１の凹部２０１は、第１の奥面２１１ａと第１の上下制約面２１２ａと第１の一対の回転制約面２１３ａとを有する。第１の奥面２１１ａはＺ軸を中心とした円筒状曲面の一部をなし、小円筒面２０５と直接接触している。第１の奥面２１１ａの半径は小円筒面２０５の半径と同一である。第１の奥面２１１ａのＺ方向の幅は略一定であり、第１の奥面２１１ａのＺ軸周りの長さも略一定である。第１の上下制約面２１２ａは、第１の奥面２１１ａと第１の梁面２０６との間を接続する傾斜面である。第１の上下制約面２１２ａは、略一定の幅でＺ軸周りに延在する。第１の一対の回転制約面２１３ａは、第１の奥面２１１ａのＺ軸周りの両側において第１の奥面２１１ａと大円筒面２００とを接続する傾斜面である。第１の一対の回転制約面２１３ａは、それぞれ、略一定の幅でＺ方向に延在する。
【００２０】
第２の凹部２０２は、第２の奥面２１１ｂと第２の上下制約面２１２ｂと第２の一対の回転制約面２１３ｂとを有する。第２の奥面２１１ｂはＺ軸を中心とした円筒状曲面の一部をなし、胴部２１と直接接触している。第２の奥面２１１ｂの半径は小円筒面２０５の半径と同一である。第２の奥面２１１ｂのＺ方向の幅は略一定であり、第２の奥面２１１ｂのＺ軸周りの幅も略一定である。第２の上下制約面２１２ｂは、第２の奥面２１１ｂと第１の梁面２０６との間を接続する傾斜面である。第２の上下制約面２１２ｂは、略一定の幅でＺ軸周りに延在する。第２の一対の回転制約面２１３ｂは、第２の奥面２１１ｂのＺ軸周りの両側において第２の奥面２１１ｂと大円筒面２００とを接続する傾斜面である。第２の一対の回転制約面２１３ｂは、それぞれ、略一定の幅でＺ方向に延在する。
【００２１】
（第３の凹部と第４の凹部）
図２に示すように、第３の凹部２０３と第４の凹部２０４とはＺ方向にならんで配置され、第３の凹部２０３は第４の凹部２０４よりも口部２２に近い。大円筒面２００には、第３の凹部２０３と第４の凹部２０４との間に第２の梁面２０７が形成されている。第２の梁面２０７は、Ｚ軸周りに延在する細長い形状となっている。第２の梁面２０７のＺ方向の幅は略一定である。
【００２２】
第３の凹部２０３は第１の凹部２０１をＺ軸周りに１８０度回転させた回転対称な形状をなす。第４の凹部２０４は第２の凹部２０２をＺ軸周りに１８０度回転させた回転対称な形状をなす。すなわち、第３の凹部２０３は図３の第１の凹部２０１と同様の構成を有し、第４の凹部２０４は図３の第２の凹部２０２と同様の構成を有するため、第３の凹部２０３及び第４の凹部２０４の説明は省略する。
【００２３】
（胴部）
図２に示すように胴部２１は、Ｚ軸を中心とした回転対称な樽形状をなす。胴部２１の負のＺ方向端部は、Ｚ方向に直交する平面に収納容器２を立てるための底部２２０が設けられている。胴部２１の外表面には図１に示す装飾フィルム３が取り付けられている。装飾フィルム３は、胴部２１に緩く巻き付けてから熱により収縮させて胴部２１に密着させるシュリンクフィルムである。装飾フィルム３には、キャラクターの胴体部分の図柄や商標などの図形に加えて、飲料の成分などの文字情報も記載されている。
【００２４】
（口部）
図２に示すように口部２２には螺旋状のネジ山が付いており、内側にネジ山の付いた図１に示す蓋２３で収納空間２４を開閉することができる。なお、収納空間２４はコルク栓やプルタブなど他の開閉部材によって開閉するものであってもよい。
【００２５】
（装飾部材全体）
図１に示すように装飾部材４は、本体４１と右補助部材４２と左補助部材４３とを備える。本体４１はキャラクターの頭部を模しており、右補助部材４２と左補助部材４３とはそのキャラクターの耳を模している。装飾部材４は他の形状を有するものであってもよい。例えば、装飾部材４がロボット、動物、人間、各種物体、文字などであってもよい。
【００２６】
（本体）
図４は装飾部材４の上面図であり、図５は装飾部材４の底面図であり、図６は本体４１の右側面図である。以下、装飾部材４の説明において互いに直交する上下方向、左右方向、前後方向を規定するが、上下、左右、前後はあくまで相対的な位置関係を例示するための表現であり、本体４１の絶対的な姿勢を意味しない。
【００２７】
図４に示すように本体４１は動物の頭部をデフォルメしたような球に近い丸みを帯びた形状をなし、内部空間４１３を画定する前部４１０と顔部４１１と後部４１２とを有している。本体４１は、顔部４１１の表情をのぞいて左右対称な形状をなす。
【００２８】
図７は前部４１０の背面図である。前部４１０はキャラクターの頭部の前半分を模して薄肉に形成された前外殻４１５を有する。本実施形態の前外殻４１５の厚さは約２ｍｍであるが、これに限定されない。前外殻４１５は前側の上下左右の略中央に前側開口４２０が設けられている。前側開口４２０はキャラクターの顔を模した顔部４１１をはめることができる形状に作られている。前外殻４１５の後端には、上下方向と左右方向とにより画定される平面に沿った環状の前側接合部４４１が形成されている。
【００２９】
図７に示すように前外殻４１５の上部には前外殻４１５を上下方向に貫通した前側上部開口４２１が設けられている。前側上部開口４２１は、図４に示すように上から見て略半円状をなし、後方に開いている。図７に示すように前外殻４１５の下部には前外殻４１５を上下方向に貫通した前側下部開口４２２が設けられている。前側下部開口４２２は、図５に示すように下から見て略半円状をなし、後方に開いている。
【００３０】
図７に示すように前外殻４１５の右部には前外殻４１５を左右方向に貫通した前側右部スリット４２３が設けられている。前側右部スリット４２３は、図６に示すように右から見て略長方形状をなし、後方に開いている。図７に示すように前外殻４１５の左部には前外殻４１５を左右方向に貫通した前側左部スリット４２４が設けられている。前側左部スリット４２４は、左から見て略長方形状をなし、後方に開いている。
【００３１】
前部４１０は前外殻４１５の内側に、第１の前側支柱４２５ａ〜第４の前側支柱４２５ｄを有する。第１の前側支柱４２５ａは右上付近に、第２の前側支柱４２５ｂは左上付近に、第３の前側支柱４２５ｃは左下付近に、第４の前側支柱４２５ｄは右下付近に設けられている。第１の前側支柱４２５ａ〜第４の前側支柱４２５ｄはすべて、前側で前外殻４１５に接続され、円柱状に前から後ろに向けて延設されている。
【００３２】
図７に示すように前部４１０は前外殻４１５の内側の右端付近に右側板状部４２６を有する。右側板状部４２６は、上下方向に所定の厚みをもって前後左右に延在する。右側板状部４２６は前側右部スリット４２３の上下方向の中心よりもやや上方に配置されている。右側板状部４２６の左端には、右側板状部４２６の他の部分よりも上下方向に厚く、右側板状部４２６の他の部分よりも後方に突出した右ガイドピン４２７が設けられている。
【００３３】
図７に示すように前部４１０は前外殻４１５の内側の左端付近に左側板状部４２８を有する。左側板状部４２８は、上下方向に所定の厚みをもって前後左右に延在する。左側板状部４２８は前側左部スリット４２４の上下方向の中心よりもやや上方に配置されている。左側板状部４２８の右端には、左側板状部４２８の他の部分よりも上下方向に厚く、左側板状部４２８の他の部分よりも後方に突出した左ガイドピン４２９が設けられている。
【００３４】
図８は後部４１２の正面図である。後部４１２はキャラクターの頭部の後ろ半分を模して薄肉に形成された後外殻４１６を有する。後外殻４１６の前端には、上下方向と左右方向とにより規定される平面に沿った環状の後側接合部４４２が形成されている。
【００３５】
図８に示すように後外殻４１６の上部には後外殻４１６を上下方向に貫通した後側上部開口４３１が設けられている。後側上部開口４３１は、図４に示すように上から見て略半円状をなし、前方に開いている。図８に示すように後外殻４１６の下部には後外殻４１６を上下方向に貫通した後側下部開口４３２が設けられている。後側下部開口４３２は、図５に示すように下から見て略半円状をなし、前方に開いている。
【００３６】
図８に示すように後外殻４１６の右部には後外殻４１６を左右方向に貫通した後側右部スリット４３３が設けられている。後側右部スリット４３３は、図６に示すように右から見て略長方形状をなし、前方に開いている。図８に示すように後外殻４１６の左部には後外殻４１６を左右方向に貫通した後側左部スリット４３４が設けられている。後側左部スリット４３４は、左から見て略長方形状をなし、前方に開いている。
【００３７】
図８に示すように後部４１２は後外殻４１６の内側に、第１の後側支柱４３５ａ〜第６の後側支柱４３５ｆを有する。第１の後側支柱４３５ａは右上付近に、第２の後側支柱４３５ｂは左上付近に、第３の後側支柱４３５ｃは左下付近に、第４の後側支柱４３５ｄは右下付近に、第５の後側支柱４３５ｅは右側の上下方向中央付近に、第６の後側支柱４３５ｆは左側の上下方向中央付近に設けられている。第５の後側支柱４３５ｅは後側右部スリット４３３の上下方向の中心よりもやや上方に配置されている。第６の後側支柱４３５ｆは後側左部スリット４３４の上下方向の中心よりもやや上方に配置されている。第１の後側支柱４３５ａ〜第６の後側支柱４３５ｆはすべて、後側で後外殻４１６に接続され、円柱状に後ろから前に向けて延設されている。
【００３８】
図７に示す前部４１０の前側接合部４４１と、図８に示す後部４１２の後側接合部４４２とが接合され、第１の前側支柱４２５ａと第１の後側支柱４３５ａとが接合され、第２の前側支柱４２５ｂと第２の後側支柱４３５ｂとが接合され、第３の前側支柱４２５ｃと第３の後側支柱４３５ｃとが接合され、第４の前側支柱４２５ｄと第４の後側支柱４３５ｄとが接合され、図６のような本体４１が形成される。その際、第５の後側支柱４３５ｅと右ガイドピン４２７とが所定距離だけ離れて前後方向に対向配置され、第６の後側支柱４３５ｆと左ガイドピン４２９とが所定距離だけ離れて前後方向に対向配置される。
【００３９】
図４に示すように、前側上部開口４２１と後側上部開口４３１とが一体となって上から見たときに略円形をなす上部開口４５１を形成する。図５に示すように、前側下部開口４２２と後側下部開口４３２とが一体となって下から見たときに略円形をなす下部開口４５２を形成する。上下方向から見ると、上部開口４５１と下部開口４５２とは同心円となっている。
【００４０】
図６に示すように、前側右部スリット４２３と後側右部スリット４３３とが一体となって右から見たときに略長方形状となる細長い右側スリット４５３を形成する。右側スリット４５３を右から見ると、右ガイドピン４２７が前後方向の中央付近まで突き出ている。図４に示すように、前側左部スリット４２４と後側左部スリット４３４とが一体となって左から見たときに略長方形状となる細長い左側スリット４５４が形成される。図示されていないが、左側スリット４５４を左から見ると、左ガイドピン４２９が前後方向の中央付近まで突き出ている。
【００４１】
なお、収納容器２に飲食物を収納する場合は有機溶剤の使用が好ましくない。そのため、接着剤を使用せず、融着により本体４１の組立てを行うことが好ましい。
【００４２】
（右補助部材と左補助部材）
図９は右補助部材４２の正面図であり、図１０は右補助部材４２の上面図であり、図１１は右補助部材４２の左側面図である。図９に示すように、右補助部材４２は把持部５０１と挿入部５０２とを有する。把持部５０１は、キャラクターの耳の形状をしており、上下左右の長さに比べて図１０に示すように前後方向の厚みが小さく、図１１に示すように上下左右の中央付近が後方にくぼんだ形状を有する。把持部５０１の左縁部には挿入部５０２を囲うように配置された、左方を臨む段部５１０が形成されている。
【００４３】
図９に示すように、挿入部５０２は、把持部５０１の左縁部から左方に延設された板部５１１を有する。板部５１１は、上下左右の長さに比べて前後方向の厚みが小さく、その厚みは略一定である。板部５１１は、上下方向と左右方向に直線状の外縁を有する略長方形をなす。板部５１１の前面５１２は平面状に形成されている。
【００４４】
板部５１１の左縁部には、上下方向中央に切り欠き５１３が形成されている。切り欠き５１３は板部５１１を前後方向に貫通するように形成され、左方に開いている。切り欠き５１３の左右方向の深さは略一定である。
【００４５】
板部５１１には前面５１２から後方に略一定の深さでくぼんだ溝５１４が形成されている。溝５１４は板部５１１の左縁部で切り欠き５１３から左方を臨むように開いており、板部５１１の左縁部から把持部５０１付近まで直線状に延設されている。溝５１４は板部５１１において上下方向中央よりも上寄りに配置されている。溝５１４の上下方向の幅は、図７に示す右ガイドピン４２７の上下方向の幅より若干大きく形成されている。
【００４６】
板部５１１の左縁部には、切り欠き５１３の上方に上突出部５１５が形成され、切り欠き５１３の下方に下突出部５１６が形成されている。上突出部５１５及び下突出部５１６は、それぞれ略直方体形状をなし、その各面の法線方向が上下、左右、前後方向を臨む。上突出部５１５及び下突出部５１６の左右方向の厚さは、上下方向及び前後方向の長さに比べて小さい。図１０に示すように上突出部５１５及び下突出部５１６の前後方向の幅は、板部５１１の厚さよりも大きい。
【００４７】
図９に示すように挿入部５０２は、板部５１１の左縁部の上端に接続された上ストッパ５１７を有する。上ストッパ５１７は、左右方向に略直線状に延設されている。上ストッパ５１７の左端は、上突出部５１５より右側で板部５１１と接続されている。上ストッパ５１７は右端に、上方に突出した上当接部５１８をもつ。上ストッパ５１７は左端を支点とする片持ち梁として機能する。上当接部５１８に下方への力が加わると、上当接部５１８が下方に移動するが、力が解除されると上当接部５１８は元の位置に戻る。
【００４８】
挿入部５０２は、板部５１１の左縁部の下端に接続された下ストッパ５１９を有する。下ストッパ５１９は、左右方向に略直線状に延設されている。下ストッパ５１９の左端は、下突出部５１６より右側で板部５１１と接続されている。下ストッパ５１９は右端に、下方に突出した下当接部５２０をもつ。下ストッパ５１９は左端を支点とする片持ち梁として機能する。下当接部５２０に上方への力が加わると、下当接部５２０が上方に移動するが、力が解除されると下当接部５２０は元の位置に戻る。
【００４９】
右補助部材４２の上下方向中央に、前後左右方向により画定される平面があると仮定すると、上ストッパ５１７と下ストッパ５１９とはその平面を境として鏡面対称な構造となっている。
【００５０】
左補助部材４３は右補助部材４２と鏡面対称な構造を有するため、説明を省略する。以下、左補助部材４３の各構成要素の参照符号は、右補助部材４２の対応する構成要素と同一の参照符号を使用する。
【００５１】
（動作）
図１２は図４のＡ−Ａ線で切断した装飾部材４の断面図である。右補助部材４２の上突出部５１５と下突出部５１６とは内部空間４１３内に配置され、把持部５０１は本体４１の外部に配置され、挿入部５０２の一部は右側スリット４５３内を通るように配置される。上当接部５１８と上突出部５１５との間において、右補助部材４２の上下方向の幅は、右側スリット４５３の上下方向の幅と同程度である。把持部５０１を左右に移動させると、それにともなって挿入部５０２が右側スリット４５３を通って左右に移動する。移動の際、溝５１４を通る右ガイドピン４２７により、挿入部５０２が左右方向に直線状に案内される。上突出部５１５と下突出部５１６との付近において挿入部５０２の上下方向の幅は右側スリット４５３の上下方向の幅と同程度かそれより大きく形成されているため、上突出部５１５と下突出部５１６付近が所定距離まで右側スリット４５３に近づくと右補助部材４２はそれ以上移動しなくなる。上突出部５１５および下突出部５１６の前後方向の幅は、右側スリット４５３の前後方向の幅よりも大きいため、右補助部材４２が右側スリット４５３から完全に抜け落ちることがない。
【００５２】
本体４１は左右対称な形状を有し、右補助部材４２と左補助部材４３は鏡面対称な形状を有する。従って、右補助部材４２と右側スリット４５３と右ガイドピン４２７との関係は、左補助部材４３と左側スリット４５４と左ガイドピン４２９との関係と同様であるため、説明を省略する。なお、本体４１の前部４１０と後部４１２とは、右補助部材４２及び左補助部材４３を装着してから融着される。
【００５３】
（取り付け方法）
図１３は装飾部材４を収納容器２に取り付けた後の装飾部材付き収納容器１の部分断面図である。図１３では、装飾部材４のみが図１２と同一平面で切断されている。
【００５４】
装着前は、図１２に示すように右補助部材４２及び左補助部材４３の両方の上当接部５１８と下当接部５２０とが本体４１の外部に位置している。
【００５５】
次に、下部開口４５２から上部開口４５１に向けて収納容器２を口部２２側から挿入する。図１３に示すように口部２２の一部を上部開口４５１から外部に突出させる。収納容器２の第１の凹部２０１と第２の凹部２０２とを右側スリット４５３に向け、第３の凹部２０３と第４の凹部２０４とを左側スリット４５４に向けておく。
【００５６】
次に、右補助部材４２と左補助部材４３とを、互いに近づける方向に押して本体４１に挿入する。
【００５７】
右補助部材４２を内部空間４１３に向けて挿入する際、右補助部材４２の上当接部５１８および下当接部５２０は、右側スリット４５３により互いに近づく方向に押圧される。上当接部５１８および下当接部５２０は右側スリット４５３を通り抜けた後、互いに離れるように元の位置に戻る。左補助部材４３を内部空間４１３に向けて挿入する際、上当接部５１８および下当接部５２０は、左側スリット４５４により互いに近づく方向に押圧される。上当接部５１８および下当接部５２０は左側スリット４５４を通り抜けた後、互いに離れるように元の位置に戻る。上当接部５１８および下当接部５２０は、本体４１の内面近くに配置される。従って、右補助部材４２及び左補助部材４３を本体４１の外側に向けて引っ張ると、上当接部５１８および下当接部５２０が本体４１の内面に当接するため、挿入部５０２は内部空間４１３から容易に抜けなくなる。ただし、強い力が加わると上当接部５１８および下当接部５２０が右側スリット４５３及び左側スリット４５４を通り抜けて固定が解除される。
【００５８】
さらに、右補助部材４２の上突出部５１５が第１の凹部２０１に入り、右補助部材４２の下突出部５１６が第２の凹部２０２に入り、左補助部材４３の上突出部５１５が第３の凹部２０３に入り、左補助部材４３の下突出部５１６が第４の凹部２０４に入る。右補助部材４２と左補助部材４３との間隔は、小円筒面２０５の直径よりも大きいが、大円筒面２００の直径よりは小さい。従って、上下方向、Ｚ軸周りの回転方向、前後方向のいずれにおいても、右補助部材４２の上突出部５１５が第１の凹部２０１から抜けられなくなり、右補助部材４２の下突出部５１６が第２の凹部２０２から抜けられなくなり、左補助部材４３の上突出部５１５が第３の凹部２０３から抜けられなくなり、左補助部材４３の下突出部５１６が第４の凹部２０４から抜けられなくなる。
【００５９】
図３と図１３とを参照して、右補助部材４２及び左補助部材４３が固定された状態における収納容器２と装飾部材４との相対的な動きについて説明する。第１の上下制約面２１２ａは右補助部材４２の上突出部５１５の下方向の動きを制約し、第１の一対の回転制約面２１３ａは右補助部材４２の上突出部５１５のＺ軸回りの回転を制約する。第２の上下制約面２１２ｂは右補助部材４２の下突出部５１６の上方向の動きを制約し、第２の一対の回転制約面２１３ｂは右補助部材４２の下突出部５１６のＺ軸回りの回転を制約する。左補助部材４３と第３の凹部２０３と第４の凹部２０４との関係は、右補助部材４２と第１の凹部２０１と第２の凹部２０２との関係と同様であるため説明を省略する。
【００６０】
このようにして、装飾部材４は収納容器２に対して上下方向の動きを制約され、さらに、Ｚ軸回りの回転も制約される。なお、動きを制約するとは、装飾部材４を収納容器２に対して全く動かないように固定することと、わずかに動くように可動範囲を制限することとを含む。ただし、可動範囲は収納容器２と装飾部材４とを分離できるほど大きくはなく、収納容器２に対して装飾部材４をＺ軸周りに３６０度回転させられるほど大きくもない。
【００６１】
右側スリット４５３の前後方向の幅は、挿入部５０２の前後方向の幅とほぼ同じであるため、右補助部材４２の前後方向のずれが抑えられる。さらに、図７に示す右ガイドピン４２７と図８に示す第５の後側支柱４３５ｅとの前後方向の間隔は、溝５１４内における挿入部５０２の前後方向の幅にほぼ等しいため、右ガイドピン４２７と第５の後側支柱４３５ｅとによっても右補助部材４２の前後方向のずれが抑えられる。右ガイドピン４２７と第５の後側支柱４３５ｅとは、右補助部材４２に接触する程度に隣接配置されることが好ましい。また、右側スリット４５３の前後方向において、本体４１と挿入部５０２が接触するほど隣接配置されることが好ましい。このように、左右方向の２か所で右補助部材４２の前後方向のずれを抑えることにより、前後左右方向によって画定される平面に沿った右補助部材４２の回転が抑えられる。左補助部材４３についても同様の効果がえられる。その結果、上下方向を軸として装飾部材４を収納容器２に対して回転させても、右補助部材４２および左補助部材４３がねじれにくいため、装飾部材４と収納容器２とがはずれにくい。
【００６２】
図１に示すように、蓋２３を開閉しても装飾部材４が収納容器２に固定されたままであるため装飾効果を維持できる。蓋２３に装飾部材４が結合されていないため、蓋２３の開閉が容易である。装飾部材４が蓋２３の開閉を邪魔しないため、収納容器２本来の機能を損なわない。装飾部材４と収納容器２とを別々に製造した後で組み立てることが可能であるため、一体的に製造する場合に比べて装飾部材４及び収納容器２の加工が容易となり、コストが安くなる。
【００６３】
収納容器２に第１の凹部２０１〜第４の凹部２０４が設けられているため、装飾部材４と収納容器２との相対的な位置決めを容易に行うことができる。つまり、装飾フィルム３の図柄と装飾部材４の形状との位置決めを容易に行うことができる。
【００６４】
図１２に示すように、右側スリット４５３の上下方向の中央よりもやや上寄りに右ガイドピン４２７が取り付けられている。そのため、右ガイドピン４２７を支点として右補助部材４２の把持部５０１を上下に揺動させた場合、上当接部５１８に比べて下当接部５２０が大きく動く。従って、上当接部５１８より下当接部５２０を遅らせて右側スリット４５３に通すことができ、上当接部５１８と下当接部５２０との挿入が容易となる。
【００６５】
他の実施形態として、収納容器２の周囲にネジ山を設け、装飾部材４の内部にもネジ山を設け、ボルトとナットのようにして装飾部材４を収納容器２に装着することも可能である。しかし、ネジ山を使用すると装飾部材４と収納容器２との回転方向の位置決めが難しく、正確に位置決めするにはコストが高くなる。そのため上記実施形態のようにして装飾部材４と収納容器２とを位置決めする方が好ましい。
【００６６】
他の実施形態として、装飾部材４と収納容器２とを単に接着剤で固定することも可能である。しかし、収納容器２に飲食物を収納する場合は有機溶剤の使用が制限されるため、上記実施形態のように接着剤を使用しない方が好ましい。
【００６７】
収納容器２の周りの装飾部材４の回転を抑制する手段としては、様々な形態を採用することができる。上記実施形態では、収納容器２の首部２０にくぼみを形成することによって装飾部材４のＺ軸周りの回転を抑制している。他の実施形態として、ＸＹ平面に平行な首部２０の断面が多角形となるようにしてもよい。すなわち、多角形の角に装飾部材４の一部が当接することにより装飾部材４の回転が阻止されてもよい。すなわち、所定軸周りで装飾部材４が回転するときに、装飾部材４の一部と収納容器２の一部とが当接することにより、収納容器２と装飾部材４との相対的な回転が抑制されるものであってもよい。
【００６８】
図９に示すように、本実施形態では上ストッパ５１７の上当接部５１８と下ストッパ５１９の下当接部５２０とを使用して右補助部材４２を本体４１に固定しているが、他の構成を採用してもよい。例えば、板部５１１から直接上当接部５１８及び下当接部５２０が形成されていてもよい。また、前後方向に突出した部位によって右補助部材４２を本体４１に固定するものであってもよい。また、右補助部材４２の固定手段はこれらに限られない。
【００６９】
本実施形態によれば、収納容器２と装飾部材４とを別々に製造した後で装飾部材４を簡単に収納容器２に取り付けることができる。さらに、取り付けた後に収納容器２から装飾部材４を外れにくくすることができる。
【００７０】
本実施形態の装飾部材４はＡＢＳ樹脂を材料として、射出成型により製造されている。装飾部材４は他の材料及び製造方法によって製造されるものであってもよい。
【産業上の利用可能性】
【００７１】
本発明の装飾部材付きボトルは、本実施形態に記載された例に限るものではない。本発明は、請求項に記載された発明及びその均等物に該当する限りにおいて、本明細書の記載内容に基づいて当業者であれば想到し得る実施形態も当然に含む。
【符号の説明】
【００７２】
１  装飾部材付き収納容器
２  収納容器
３  装飾フィルム
４  装飾部材
２０  首部
２１  胴部
２２  口部
２３  蓋
２４  収納空間
４１  本体
４２  右補助部材
４３  左補助部材
２００  大円筒面
２０１〜２０４  第１〜第４の凹部
２０５  小円筒面
２０６、２０７  第１、第２の梁面
２１１ａ、ｂ  第１、第２の奥面
２１２ａ、ｂ  第１、第２の上下制約面
２１３ａ、ｂ  第１、第２の一対の回転制約面
２２０  底部
４１０  前部
４１１  顔部
４１２  後部
４１３  内部空間
４１５  前外殻
４１６  後外殻
４２０  前側開口
４２１  前側上部開口
４２２  前側下部開口
４２３  前側右部スリット
４２４  前側左部スリット
４２５ａ〜ｄ  第１〜第４の前側支柱
４２６  右側板状部
４２７  右ガイドピン
４２８  左側板状部
４２９  左ガイドピン
４３１  後側上部開口
４３２  後側下部開口
４３３  後側右部スリット
４３４  後側左部スリット
４３５ａ〜ｆ  第１〜第６の後側支柱
４４１  前側接合部
４４２  後側接合部
４５１  上部開口
４５２  下部開口
４５３  右側スリット
４５４  左側スリット
５０１  把持部
５０２  挿入部
５１０  段部
５１１  板部
５１２  前面
５１３  切り欠き
５１４  溝
５１５  上突出部
５１６  下突出部
５１７  上ストッパ
５１８  上当接部
５１９  下ストッパ
５２０  下当接部
【図１】
2014009024.tif 000003
【図２】
2014009024.tif 000004
【図３】
2014009024.tif 000005
【図４】
2014009024.tif 000006
【図５】
2014009024.tif 000007
【図６】
2014009024.tif 000008
【図７】
2014009024.tif 000009
【図８】
2014009024.tif 000010
【図９】
2014009024.tif 000011
【図１０】
2014009024.tif 000012
【図１１】
2014009024.tif 000013
【図１２】
2014009024.tif 000014
【図１３】
2014009024.tif 000015